(57)【要約】【課題】ユーザが表示パネルから離れたときに、ユーザの指示を待たずに、ユーザから見やすい画像を表示することのできる表示装置を提供する。【解決手段】ジャム発生位置に応じて、表示パネル４１の位置を移動させると共に、ジャム発生位置がユーザの位置であるとして、ユーザの位置と表示パネル４１との間の距離に応じて表示画像のサイズを変更する。【選択図】図４
2010054565.tif 000002
【特許請求の範囲】
【請求項１】
電気機器に設けられる表示装置であって、
画像を表示可能な表示部と、
上記表示部の位置とユーザの位置とが離れるほど、上記表示部の表示サイズを大きく変更する表示サイズ変更部と、
を備える表示装置。
【請求項２】
上記電気機器におけるエラー発生位置を認識することのできるエラー位置認識部をさらに備え、
上記表示サイズ変更部は、上記エラー発生位置をユーザの位置として、上記表示サイズを変更するようになっている、
請求項１に記載の表示装置。
【請求項３】
上記電気機器に対する上記表示部の位置を変化させる位置変更部をさらに備える、
請求項１又は２に記載の表示装置。
【請求項４】
上記位置変更部は、上記表示部をユーザが視認可能な位置に移動させるようになっている、
請求項３に記載の表示装置。
【請求項５】
上記電気機器におけるエラー発生位置を認識することのできるエラー位置認識部をさらに備え、
上記位置変更部は、上記エラー発生位置をユーザの位置として、上記表示部の位置を変更するようになっている、
請求項４に記載の表示装置。
【請求項６】
上記電気機器に対する上記表示部の向きを変更する向き変更部をさらに備える、
請求項１〜５のいずれか１項に記載の表示装置。
【請求項７】
上記向き変更部は、上記表示部の向きをユーザが視認可能な角度とするようになっている、
請求項６に記載の表示装置。
【請求項８】
上記電気機器におけるエラー発生位置を認識することのできるエラー位置認識部をさらに備え、
上記向き変更部は、上記エラー発生位置をユーザの位置として、上記表示部の向きを変更するようになっている、
請求項７に記載の表示装置。
【請求項９】
請求項１〜８のいずれか１項に記載の表示装置と、
画像データに沿って用紙上に画像を形成する画像形成部と、
画像形成後の用紙を受け取る排紙トレイと、
上記画像形成部を経て上記排紙トレイまで用紙を搬送する用紙搬送装置と、
を備える画像形成装置。
【発明の詳細な説明】
【技術分野】
【０００１】
本発明は、ユーザに画像を表示する表示装置及びそれを備える画像形成装置に関する。
【背景技術】
【０００２】
画像形成装置等の電気機器において、操作方法等を示す画像をユーザに提示する表示装置を備えるものがある。
【０００３】
このような表示装置においては、ユーザが画像を認識しやすいにように、種々の工夫がなされている。例えば、特許文献１には、エラーの解除手順を表す動画を表示する機能を備えると共に、動画を拡大表示するようにとの指示をユーザから受け付けるための拡大キーを備える画像形成装置が記載されている。
【特許文献１】特開２００５‐２０８３３５号公報（段落［０００８］、［００２４］等）
【発明の開示】
【発明が解決しようとする課題】
【０００４】
従来の技術では、ユーザが画像形成装置から離れた場合に、ユーザからは画面が視認しにくい。そして、表示を拡大するにはユーザが再び画像形成装置に近づかなければならず、不便である。
【０００５】
本発明は、このような従来技術の問題点に鑑み、ユーザの操作負担を軽減することのできる表示装置及びそれを利用した技術を提供することを目的とする。
【課題を解決するための手段】
【０００６】
請求項１の表示装置は、電気機器に設けられる表示装置であって、画像を表示可能な表示部と、上記表示部の位置とユーザの位置とが離れるほど、上記表示部の表示サイズを大きく変更する表示サイズ変更部と。を備える。
【０００７】
この表示装置によれば、ユーザからの指示を待たずに、表示部の位置とユーザの位置とが離れるほど表示サイズを大きくすることができるので、表示サイズの拡大におけるユーザの操作負担を軽減することができる。
【０００８】
請求項２に記載するように、請求項１の表示装置は、上記電気機器におけるエラー発生位置を認識することのできるエラー位置認識部をさらに備え、上記表示サイズ変更部は、上記エラー発生位置をユーザの位置として、上記表示サイズを変更するようになっていてもよい。
【０００９】
請求項３に記載するように、請求項１又は２の表示装置は、上記電気機器に対する上記表示部の位置を変化させる位置変更部をさらに備えてもよい。
【００１０】
請求項４に記載するように、請求項３の表示装置において、上記位置変更部は、上記表示部をユーザが視認可能な位置に移動させるようになっていてもよい。
【００１１】
請求項５に記載するように、請求項４に記載の表示装置は、上記電気機器におけるエラー発生位置を認識することのできるエラー位置認識部をさらに備え、上記位置変更部は、上記エラー発生位置をユーザの位置として、上記表示部の位置を変更するようになっていてもよい。
【００１２】
請求項６に記載するように、請求項１〜５のいずれか１項の表示装置は、上記電気機器に対する上記表示部の向きを変更する向き変更部をさらに備えてもよい。
【００１３】
請求項７に記載するように、請求項６の表示装置において、上記向き変更部は、上記表示部の向きをユーザが視認可能な角度とするようになっていてもよい。
【００１４】
請求項８に記載するように、請求項７の表示装置は、上記電気機器におけるエラー発生位置を認識することのできるエラー位置認識部をさらに備え、上記向き変更部は、上記エラー発生位置をユーザの位置として、上記表示部の向きを変更するようになっていてもよい。
【００１５】
請求項１〜８のいずれか１項に記載の表示装置は、請求項９に記載するように、画像データに沿って用紙上に画像を形成する画像形成部と、画像形成後の用紙を受け取る排紙トレイと、上記画像形成部を経て上記排紙トレイまで用紙を搬送する用紙搬送装置と、を備える画像形成装置に適用可能である。
【発明の効果】
【００１６】
本発明によれば、ユーザからの指示を待たずに、表示部の位置とユーザの位置とが離れるほど表示サイズを大きくすることができるので、表示サイズの拡大におけるユーザの操作負担を軽減することができる。
【発明を実施するための最良の形態】
【００１７】
〔１〕第１実施形態
以下、本発明の実施の一形態に係る画像形成装置１について、図面を参照して説明する。なお、以下、特に言及しない場合は、「上」、「下」、「右」、「左」、「横」、「縦」、「手前」、「奥」等の方向は、画像形成装置１の通常の設置姿勢において、画像形成装置１を操作するユーザから見た方向を指す。
【００１８】
（1-1）画像形成装置１
本発明の実施の一形態に係る画像形成装置１の概要について、図１及び図２を参照して説明する。図１は画像形成装置１の外観を示す正面図であり、図２は画像形成装置１の要部構成を示すブロック図である。
【００１９】
図１及び図２に示すように、画像形成装置１は、本体装置１０、外部給紙ユニット２０、フィニッシャ３０、及び表示ユニット４０を備える。ユーザから見て、外部給紙ユニット２０は本体装置１０の右側、フィニッシャ３０は左側に配置される。後述する表示ユニット４０のパネル台４５は外部給紙ユニット２０の右側、表示パネル４１はデフォルトでは外部給紙ユニット２０の上方に配置される。
【００２０】
外部給紙ユニット２０、フィニッシャ３０、及び表示ユニット４０は、本体装置１０と通信可能に接続されており、これらの装置間では情報のやり取りが可能になっている。
【００２１】
（1-2）本体装置１０
図１及び図２に示すように、本体装置１０は、画像形成部１１、用紙搬送部１２、給紙カセット１３、ジャム検出部１４、開閉検出部１５、ジャム検出部１４、開閉検出部１５、主制御装置１６を備える。
【００２２】
画像形成部１１は、画像データに基づいて用紙上に画像を印刷する。画像形成部１１としては、電子写真方式やインクジェット方式等の印刷方式を採用することができる。
【００２３】
用紙搬送部１２は、複数のローラ及びベルト並びにこれらを駆動する駆動部等を備える。用紙搬送部１２は、ローラ等によって給紙カセット１３内の用紙を画像形成部１１に供給し、画像形成後の用紙をフィニッシャ３０に送る。
【００２４】
給紙カセット１３は、用紙束を収容し、本体装置１０の中で下方に配置される。給紙カセット１３は、本体装置１のハウジング１７に対して引き出し及び押入れ可能となっている。つまり給紙カセット１３は、開閉部の一例である。給紙カセット１３内には、用紙束から用紙を１枚ずつ引き出す給紙ローラが配置されている。
【００２５】
ジャム検出部１４は、給紙カセット１３及び用紙搬送部１２における紙ジャム発生を検出することができる。ジャム検出部１４は、ジャム発生のみならずジャム発生の位置も検出することができる。
【００２６】
このような機能を実現するために、ジャム検出部１４は、給紙カセット１３及び用紙搬送部１２による用紙搬送経路上に配置されて用紙を検出する複数の用紙センサと、これらの用紙センサ間を所定時間内に用紙が通過したかどうかを判定する判定部を備えることで、用紙搬送経路のどこで用紙が詰まっているかを検出することができる。判定部は、ＣＰＵ（Central Processing Unit）、ＲＡＭ（Random Access Memory）、ＲＯＭ（Read Only Memory）等によって構成可能であり、ＣＰＵが用紙センサの検出結果に基づいてジャム発生位置を判定することができる。
【００２７】
開閉検出部１５は、給紙カセット１３の開閉を検出することができる。開閉検出部１５としては、接触型のセンサを用いることができる。
【００２８】
なお、本体装置１０の開閉部としては、給紙カセット１３の他にも、ハウジング１７に対して開閉可能な前カバー等（図示せず）が設けられており、この前カバーに対しても開閉を検出するセンサが設けられている。
【００２９】
主制御装置１６は、本体装置１０の各部の動作を制御すると共に、画像形成装置１全体の動作の制御も行う。
【００３０】
ハウジング１７は、画像形成部１１、用紙搬送部１２、ジャム検出部１４、開閉検出部１５、主制御装置１６等を内部に収容し、上述したように給紙カセット１３が出し入れ可能になっている。
【００３１】
また、図示しないが、本体装置１０は、ハードキーやタッチパネル等を備える操作パネルを備える。
【００３２】
（1-3）外部給紙ユニット２０
図１及び図２に示すように、外部給紙ユニット２０はハウジング２２を備え、ハウジング２２内には用紙束が収容されている。また、ハウジング２２内には、用紙束から用紙を本体装置１０に用紙を供給する複数のローラ及びこれらのローラを回転駆動する駆動部等が設けられている。
【００３３】
ハウジング２２の上面には上カバー２１が設けられ、ハウジング２２に対して開閉可能になっている。上カバー２１が開けられた状態では、ユーザは外部給紙ユニット２０の内部構成を視認することができる。つまり、上カバー２１は開閉部の一例である。
【００３４】
外部給紙ユニット２０はさらに、本体装置１０のジャム検出部１４と同様の構成のジャム検出部２３を備える。ジャム検出部２３は、外部給紙ユニット２０中のジャムの発生を検出することができる。また、外部給紙ユニット２０は、本体装置１０の開閉検出部１５と同様に、上カバー２１の開閉を検出する開閉検出部２４を備える。
【００３５】
（1-4）フィニッシャ３０
図１及び図２に示すように、フィニッシャ３０はハウジング３１を備え、ハウジング３１の側面には、複数の排紙トレイ３２が設けられている。ハウジング３１内には、パンチ及びステイプル等の後処理用の部材が配置されている。また、ハウジング３１内には、本体装置１０から受け取った用紙を排紙トレイ３２まで搬送するローラ等の部材およびその駆動記憶が配置されている。
【００３６】
ハウジング３１の前側（ユーザに対向する側）には、第１カバー３３及び第２カバー３４が設けられている。第１カバー３３は第２カバー３４より上側に配置されている。第１カバー３３及び第２カバー３４を開けると、ユーザはフィニッシャ３０内部を視認することができる。つまり、第１及び第２カバー（３３、３４）は開閉部の一例である。
【００３７】
また、フィニッシャ３０は、本体装置１０のジャム検出部１４と同様の構成のジャム検出部３５を備える。ジャム検出部３５は、フィニッシャ３０中のジャムの発生を検出することができる。また、フィニッシャ３０は、本体装置１０の開閉検出部１５と同様に、第１カバー３３及び第２カバー３４の開閉を検出する開閉検出部３６を備える。開閉検出部３６はカバー３３及び３４の開閉をそれぞれ検出する２つのセンサを含む。
【００３８】
（1-5）表示ユニット４０
図１及び図２に示すように、表示ユニット４０は、表示パネル（表示部）４１、タッチセンサ４２、アーム駆動部４３、制御装置４４、パネル台４５、及びアーム４６等を備える。
【００３９】
表示パネル４１は、ユーザに画像を表示する表示部の一例である。表示パネル４１には、液晶表示パネルを採用することができる。
【００４０】
タッチセンサ４２は、表示パネル４１と共にタッチパネルを構成しており、ユーザの操作を受け付けることができる。
【００４１】
アーム駆動部４３は、後述するようにアーム４６の角度を変化させることによって、表示パネル４１の姿勢（位置及び向き）を変えることができる。
【００４２】
制御装置４４は、表示制御部４４ａ及びアーム制御部４４ｂ等を備える。表示制御部４４ａは表示パネル４１の動作を制御して、後述するようにジャム解除の手順を説明する画面を表示させる。また、表示サイズを変更する表示サイズ変更部としても機能する。アーム制御部４４ｂは、アーム駆動部４３の動作を制御する。
【００４３】
アーム４６について、図３（ａ）及び（ｂ）を参照して説明する。図３（ａ）は表示ユニット４０の側面図、図３（ｂ）は表示ユニット４０の上面図である。
【００４４】
図３（ａ）及び図３（ｂ）に示すように、アーム４６は、第１アーム４６ａ及び第２アーム４６ｂを備える。第１アーム４６ａの一端はパネル台４５に固定されており、他端は第２アーム４６ｂの一端に第１回転部４７を介して接続されている。第２アーム４６ｂの第１回転部４７と逆側の端は、第２回転部４８を介して表示パネル４１に接続されている。こうして、アーム４６は表示パネル４１を支持している。
【００４５】
第２アーム４６ｂは、アーム駆動部４３によって第１回転部４７を中心に上下及び左右方向に回転することができる。この回転によって角度Ｒ１及びＲ３が変化すると、表示パネル４１は上下方向及び左右方向にそれぞれ移動する。
【００４６】
また、表示パネル４１も、アーム駆動部４３によって第２回転部４８を中心に上下方向（角度Ｒ２方向）及び左右方向（角度Ｒ４方向）に回転することができる。
【００４７】
なお、Ｒ１は第１アーム４６ａと第２アーム４６ｂとの間の角度であり、Ｒ２及びＲ４は表示パネル４１と第２アーム４６との間の角度であって、それぞれ表示ユニット４０の設置地面に垂直な方向及び水平な方向における角度であり、Ｒ３は画像形成装置１の左右方向（図１の左右方向）に対する第２アーム４６ｂの角度である。
【００４８】
［表示パネルの位置及び表示サイズの制御］
（ａ）初期状態
ジャムが発生していないときは、図１に示すように、表示パネル４１の表示サイズ、並びに表示パネル４１の位置及び向きは、デフォルトのままである。すなわち、表示パネル４１の位置は外部給紙ユニット２０の上方であり、表示パネル４１は正面を向いた状態とされる。「正面」とは、表示パネル４１の横方向が画像形成装置１の左右方向に平行、表示パネル４１の縦方向が画像形成装置１の上下方向に平行とされる状態である。
【００４９】
（ｂ）ジャム発生時
図４〜図７をさらに参照して、ジャム発生時の表示ユニット４０の制御について説明する。図４は給紙カセット１３、図５は外部給紙ユニット２０、図６はフィニッシャ３０の上部、図７はフィニッシャ３０の下部でジャムが発生したときの画像形成装置１の外観を示す正面図である。
【００５０】
(b-1) 給紙カセット１３でのジャム発生
本体装置１０のジャム検出部１４は、給紙カセット１３でのジャム発生を検出すると、主制御装置１６に通報する。主制御装置１６は、用紙搬送等の印刷に関する動作を停止させると共に、表示ユニット４０にジャム位置の情報を送信する。
【００５１】
表示制御部４４ａは、この情報を受けて、ジャム発生位置及びジャム解除方法を、表示パネル４１に表示させる。表示文字として、図４には「ＡＢＣ」と記しているが、実際には、「給紙カセットを開けて下さい」、「レバーを上げて下さい」、「詰まっている紙があれば取り除いて下さい」のように、ジャム発生位置に合わせて、ジャム位置及びジャム解除手順が表示される。なお、表示制御部４４ａは、ジャム解除手順の表示において、表示パネル４１が１つの手順を表示してから一定時間が経過すると、次の手順を自動的に表示させるようになっている。よって、ユーザは表示パネル４１を操作しなくても、操作手順を順に参照することができる。
【００５２】
図４に示すように、給紙カセット１３でジャムが発生すると、ユーザはジャムを解除するためにかがまなくてはならない。そのため、デフォルトのままで表示パネル４１が正面を向いていると、ユーザにとっては画面が視認しにくい。
【００５３】
そこで、ジャムの位置情報を受けたアーム制御部４４ｂは、図４に示すように、アーム駆動部４３を制御して、角度Ｒ１及びＲ３を変化させることで表示パネル４１をユーザの視線が届く位置に移動させる。具体的には、本体装置１０及び外部給紙ユニット２０によってユーザの視線が遮られないように、表示パネル４１はデフォルト位置よりも上、かつ手前に移動する。
【００５４】
また、アーム制御部４４ｂは、アーム駆動部４３を制御して、角度Ｒ２及びＲ４を変化させることで表示パネル４１の向きを調整する。具体的には、表示パネル４１はデフォルトよりユーザから見て左下を向くように調整される。
【００５５】
アーム制御部４４ｂは、表示パネル４１の位置及び向き、つまり角度Ｒ１〜Ｒ４をジャム位置毎に予め設定したテーブルを有しており、本体装置１０から得たジャム位置情報に基づいて、各角度を選択するようになっている。
【００５６】
さらに、図４に示すように、表示制御部４４ａは、ユーザの位置と表示パネル４１の位置との距離に基づいて、文字や画像の表示サイズを拡大する。図４においては、デフォルトの位置（図１）よりもユーザと表示パネル４１との距離が広がっているので、デフォルトサイズよりも拡大することで、ユーザは画面をより視認しやすくなる。また、このような拡大は、ユーザの指示を待つことなく自動的に行われるので、ユーザにとっては利便性が高い。
【００５７】
デフォルトからの拡大率は、ユーザと表示パネル４１との距離によって、適宜設定される。ユーザと表示パネル４１との距離が大きくなるほど、拡大率は大きく設定される。ただし、拡大率の変化は距離に対して直線的であってもよいし、段階的、つまり階段状に変化するようになっていてもよい。
【００５８】
本実施形態では、表示制御部４４ａは、ジャム位置毎に拡大率が予め設定されたテーブルを有しており、本体装置１０から得たジャム位置情報に基づいて、拡大率を選択するようになっている。ユーザはジャム解除のためにジャム位置近傍におり、ジャム位置に応じて表示パネル４１の位置が決定されるので、ジャム位置に応じて表示サイズの拡大率が決定されることで、ユーザから見やすい表示が可能となる。
【００５９】
なお、拡大率は、タッチセンサ４２を介して受け付けたユーザの指示に応じて適宜変更可能である。こうして、小さい文字で一度に多くの情報を得たいと思うユーザに対しては拡大率を小さく、見易さを重視するユーザに対しては拡大率を大きくする等、ユーザの希望に合わせた表示が可能となる。
【００６０】
(b-2) 外部給紙ユニット２０でのジャム発生
ジャム検出部２３が外部給紙ユニット２０でのジャム発生を検出した場合も、上記（b-1）欄と述べたように、表示ユニット４０は、主制御部１６を介してジャム位置情報を受ける。ジャム位置情報を受けて、アーム制御部４４ｂは表示パネル４１の位置及び向きを調整し、表示制御部４４ａはジャム位置に応じたジャム解除手順を表示パネル４１に表示させると共に、表示サイズを調整する。
【００６１】
具体的には、図５に示すように、外部給紙ユニット２０のジャム解除のために上カバー２１が開けられるので、ジャム解除作業の妨げとならないように、表示パネル４１はデフォルトよりも上方向に移動する。また、ユーザから見やすいように、表示パネル４１の向きは正面よりも下向きとなり、表示サイズはデフォルトよりも拡大される。
【００６２】
(b-3) フィニッシャ３０でのジャム発生
ジャム検出部３５がフィニッシャ３０でのジャム発生を検出した場合も、上記（b-1）欄で述べた様に、表示ユニット４０は、主制御部１６を介してジャム位置情報を受ける。ジャム位置情報を受けて、アーム制御部４４ｂは表示パネル４１の位置及び向きを調整し、表示制御部４４ａはジャム位置に応じたジャム解除手順を表示パネル４１に表示させると共に、表示サイズを調整する。
【００６３】
具体的には、図６に示すように、ジャム位置がフィニッシャ３０の上部であれば、ユーザは第１カバー３３を開けてジャム解除を行うので、ユーザと表示パネル４１との間が第１カバーで遮られないように、表示パネル４１はデフォルトよりも手前に移動する。そして、表示パネル４１は、ユーザの方を向くように、デフォルトよりも左側に向けられる。また、表示サイズは、デフォルトよりも拡大される。
【００６４】
図７に示すように、ジャム位置がフィニッシャ３０の下部であれば、ユーザは屈んで第２カバー３４を開け、ジャム解除を行う。そこで、ユーザと表示パネル４１との間が第２カバー３４や本体装置１０等で遮られないように、表示パネル４１はデフォルトよりも上方向に移動する。そして、表示パネル４１は、ユーザの方を向くように、デフォルトよりも左側に向けられる。また、表示サイズはデフォルトよりも拡大される。
【００６５】
上記（b-1）〜（b-3）欄に述べたように、画像形成装置１では、ジャム位置に応じて、表示パネル４１の位置、向き、及び表示サイズが調整されることによって、ユーザから見やすい表示が可能となる。
【００６６】
また、以上の説明から明らかなように、本発明の表示装置の各構成要素は、全て１体の装置に組み込まれている必要はない。例えば本実施形態では、エラー位置認識部であるジャム検出部（１４、２３、３５）、及び開閉位置を検出する開閉検出部（１５、２４、３６）が、表示パネル４１を有する表示ユニット４０とは別体の装置内に設けられている。また、表示ユニット４０は、本体装置１０内の主制御装置１６の制御も受ける。
【００６７】
つまり、表示ユニット４０が本発明の表示装置の一例であると考えることもできるし、表示ユニット４０、ジャム検出部（１４、２３、３５）、開閉検出部（１５、２４、３６）、及び主制御部１６の全てを合わせて、本発明の表示装置の一例であると考えることもできる。
【００６８】
〔２〕第２実施形態
通常、ユーザはジャムの発生位置を自分で判断することができない。そのため、まず表示パネル４１でジャムの発生位置及び解除の最初の手順を確認し、その後でジャム解除操作を開始することが多い。
【００６９】
そこで、本実施形態では、表示ユニット４０の制御装置４４は、ジャムが発生した場合で、開閉部（１３、２１、３３、３４）が開けられたときに、上記（b-1）〜（b-3）欄の制御を行うようになっている。
【００７０】
例えば、給紙カセット１３でジャムが発生すると、表示制御部４４ａは、主制御装置１６を介してジャム位置情報を受けて、給紙カセット１３でのジャム解除の最初の手順（給紙カセット１３の引き出し）を表示パネル４１に表示させる。このとき、表示サイズはデフォルトのままであって、表示パネル４１の位置及び向きもデフォルトのままとされる（図１）。
【００７１】
この状態でジャム解除の最初の手順を確認したユーザは、給紙カセット１３を引き出す。開閉検出部１５は、給紙カセット１３が引き出されたことを検出すると、主制御装置１６に「給紙カセット：開」を示す信号を送信する。主制御装置１６はこの信号を受けて、表示ユニット４０へ給紙カセット１３が開かれたことを通知する。
【００７２】
この通知を受けると、アーム制御部４４ｂは、開けられたのが給紙カセット１３であることから、表示パネル４１を図４に示す位置に移動させると共に向きを調整する。そして、表示制御部４４ａは表示パネル４１に次の手順を表示させると共に、図４に示すように、ユーザが給紙カセット１３にいるときに見やすいように、表示サイズを拡大する。
【００７３】
このとき、給紙カセット１３以外の開閉部、例えば第１カバー３３が開けられたとする。開閉検出部３６が、第１カバー３３が開いたことを検出し、それが表示ユニット４０に伝えられると、アーム制御部４４ｂは、図６に示す位置に表示パネル４１を移動させ、表示パネル４１の向きを調整する。つまり、表示パネル４１は、第１カバー３３の近傍にいるユーザに適した位置及び向きを採る。また、表示サイズも、図６と同様に、第１カバー３３の近傍にいるユーザから見やすいサイズに拡大される。
【００７４】
他の位置でジャムが起きたときも、表示パネル４１はデフォルトの表示サイズ並びに位置及び角度最初の手順が表示され、開閉検出部２４又は３６が、上カバー２１、第１カバー３３、又は第２カバー３４が開いたことを検出すると、アーム制御部４４ｂは、表示パネル４１の位置及び角度を、図５〜図７に示すように調整し、表示制御部４４ａは表示内容を次の手順に切り換えると共に、表示サイズを拡大する。
【００７５】
以上のように、本実施形態では、ユーザが操作中の部位において、ユーザが画面を視認しやすいように、表示パネル４１の位置及び向き並びに表示サイズが調整される。
【００７６】
〔３〕他の実施形態
画像形成装置１、特に表示ユニット４０は、電気機器に設けられる表示装置であって、画像を表示可能な表示部と、表示部の位置とユーザの位置とが離れるほど、表示部の表示サイズを大きく変更する表示サイズ変更部と、を備える表示装置の一例に過ぎない。例えば、この表示装置は、以下のような形態とすることができる。
【００７７】
（3-1）表示制御タイミング
第１及び第２実施形態では、表示パネル４１の位置及び角度並びに表示サイズが変更されるタイミングとして、ジャム発生を例に挙げたが、本発明はこれに限定されない。例えば、通常の操作中、現像剤切れ、用紙切れ、メンテナンス要求時等、ユーザに何らかの操作を要求するときに、同様の制御が行われてもよい。
【００７８】
（3-2）ユーザ位置
第１及び第２実施形態では、ジャム発生位置及び開かれた開閉部（１３、２１、３３、３４）をそれぞれユーザの位置として、表示パネル４１の位置及び向き並びに表示サイズが制御された。しかし、他の位置をユーザ位置として、表示ユニット４０の制御が行われてもよい。
【００７９】
例えば、通常の操作中、並びに現像剤切れ、用紙切れ、及びその他メンテナンス要求時などのユーザに何らかの操作を要求する場合等に、ユーザが操作を行うときの立ち（座り）位置及び姿勢等を考慮して、表示パネル４１の位置及び向き並びに表示サイズが制御されればよい。特に、ジャム発生時、開閉部が開かれたとき、現像剤切れ、用紙切れ等は、画像形成装置の場合は画像形成を続行できないエラー発生時であると言える。つまり、これらのエラー発生位置を、ユーザ位置と判断することが可能である。
【００８０】
画像形成装置以外の電気機器においても同様に、エラー発生位置をユーザ位置として、表示部の位置及び向き並びに表示サイズを制御可能である。
【００８１】
また、赤外線センサ等を用いて、ユーザの位置を検出してもよい。
【００８２】
（3-3）表示倍率（拡大率）の制御
第１及び第２実施形態では、ジャム位置及び開かれた開閉部（１３、２１、３３、３４）の位置に応じて表示パネル４１の位置が設定されるので、表示倍率もこれらの位置に応じて決定されるものとしている。しかし、本発明はこれに限定されるものではない。
【００８３】
例えば、表示ユニット４０が角度Ｒ１及びＲ３を検出する角度検出部を有しており、表示制御部４４ａが、角度Ｒ１及びＲ３を表示パネル４１の位置情報として、これらの角度が大きくなるほど表示サイズを大きくするようになっていてもよい。
【００８４】
また、第１及び第２実施形態とは異なりユーザの位置が一定であって表示パネル４１の位置のみが変更される場合、及びユーザが移動して表示パネル４１の位置が固定されている場合等にも、表示サイズはユーザと表示パネル４１との距離が大きくなるほど大きくなるように設定される。前者の場合では、表示パネル４１の位置は上述したように角度Ｒ１及び角度Ｒ３に基づいて判断され、後者の場合では、第１及び第２実施形態のようにジャム位置や開かれた開閉部の位置等によってユーザの位置を検出してもよいし、上記（3-2）の構成によってユーザ位置を検出してもよい。
【００８５】
また、第１及び第２実施形態では、予め表示倍率がテーブルとして設定されていたが、これ以外にも、ユーザ及び／又は表示部が移動する毎に、ユーザ及び／又は表示部の位置情報に基づいて、表示制御部４４ａが表示倍率を算出するようになっていてもよい。
【００８６】
（3-4）表示部の位置及び向きの制御
第１及び第２実施形態では、表示パネル４１の位置及び向きの両方が変更されるものとしたが、いずれか一方のみが変更されてもよい。表示パネル４１の位置及び向きは固定されていて、ユーザの位置に基づいて表示サイズのみが変更されるようになっていてもよい。
【００８７】
また、表示倍率の制御と同様に、ユーザ及び／又は表示部が移動する毎に、ユーザ及び／又は表示部の位置情報に基づいて、アーム制御部４４ｂが表示倍率を算出するようになっていてもよい。
【００８８】
（3-5）表示部の位置変更及び向き変更の機構
アーム４６及びアーム駆動部４３は、アーム制御部４４ｂと共に表示パネル４１の位置変更部及び向き変更部を構成する機構の一例に過ぎない。よって、位置変更部及び向き変更部としては、他の構成を適宜用いることができる。
【００８９】
（3-6）本発明の適用対象
画像形成装置１は、本発明を適用することのできる電気機器の一例に過ぎず、本発明は他の種々の電気機器に適用可能である。
【００９０】
（3-7）以上、異なる実施形態として記載した技術を適宜組み合わせて得られる技術についても、本発明の技術的範囲に含まれる。
【図面の簡単な説明】
【００９１】
【図１】本発明の実施の一形態に係る画像形成装置１の外観を示す正面図である。
【図２】画像形成装置１の要部構成を示すブロック図である。
【図３】（ａ）は表示ユニット４０の側面図、（ｂ）は表示ユニット４０の上面図である。
【図４】表示パネル４１の姿勢及び表示サイズの一例を示す正面図。
【図５】表示パネル４１の姿勢及び表示サイズの他の例を示す正面図。
【図６】表示パネル４１の姿勢及び表示サイズのさらに他の例を示す正面図。
【図７】表示パネル４１の姿勢及び表示サイズのさらに他の例を示す正面図。
【符号の説明】
【００９２】
１      画像形成装置
１０    本体装置
１３    給紙カセット
１７    ハウジング
２０    外部給紙ユニット
２１    上カバー
２２    ハウジング
３０    フィニッシャ
３１    ハウジング
３２    排紙トレイ
３３    第１カバー
３４    第２カバー
４０    表示ユニット
４１    表示パネル
４５    パネル台
４６    アーム
４７    第１回転部
４８    第２回転部
Ｒ１〜Ｒ４  角度
【図１】
2010054565.tif 000003
【図２】
2010054565.tif 000004
【図３】
2010054565.tif 000005
【図４】
2010054565.tif 000006
【図５】
2010054565.tif 000007
【図６】
2010054565.tif 000008
【図７】
2010054565.tif 000009